(57)【要約】【課題】待機電力削減のために貯湯タンクユニット側にてヒートポンプユニットの電源を遮断するようにした場合、次に電源投入されるたびに膨張弁のイニシャライズ制御を行うことになり、膨張弁動作の信頼性を満足することが難しいという課題があった。【解決手段】ヒートポンプユニットに対して電源投入直後に膨張弁１３のイニシャライズ制御の必要の有無を、タンクが有している電子制御装置３１からの指示により判断することで、膨張弁動作の信頼性を確保し、製品として動作停止などを防止することができる。【選択図】図２
2010071601.tif 000002
【特許請求の範囲】
【請求項１】
圧縮機、膨張弁、給湯用熱交換器、蒸発器および前記圧縮機や膨張弁などを制御する第１の電子制御装置を有しているヒートポンプユニットと、貯湯槽、流体循環ポンプ、およびこの流体循環ポンプなどを制御する第２の電子制御装置を有した貯湯タンクユニットからなり、前記ヒートポンプユニットの電源は前記貯湯タンクユニットを介して供給されるヒートポンプ給湯装置において、前記ヒートポンプユニットに対して電源投入直後に前記膨張弁のイニシャライズ制御の必要の有無を、前記貯湯タンクユニットが有している第２の電子制御装置からの指示により行うことを特徴とするヒートポンプ給湯装置。
【発明の詳細な説明】
【技術分野】
【０００１】
本発明は、圧縮機、給湯用熱交換器、膨張弁、蒸発器および圧縮機や膨張弁などを制御する電子制御装置を有しているヒートポンプユニットと、貯湯槽、流体循環ポンプ、給湯用熱交換器および流体循環ポンプなどを制御する電子制御装置を有した貯湯タンクユニットからなるヒートポンプ給湯装置で、前記ヒートポンプユニットの電源は前記貯湯タンクユニットを介して供給されるヒートポンプ給湯装置の膨張弁のイニシャライズ制御に関する。
【背景技術】
【０００２】
従来の技術では、ヒートポンプユニットへの電源は常時供給されており、そのため電源投入直後に膨張弁のイニシャライズ制御を行なった後は、再度イニシャライズ制御を実行することはなかった（例えば、特許文献１参照）。
【０００３】
図３は従来の運転制御装置の構成図、図４はその動作フローチャートであり、ヒートポンプユニットの電子制御装置３０に電源が投入されると、無条件で膨張弁イニシャライズ制御を行い、ヒートポンプユニットへの電源を遮断されないかぎり、２度と膨張弁イニシャライズ制御を行わない構成になっている。
【特許文献１】特開２００３−２２２４１３号公報
【発明の開示】
【発明が解決しようとする課題】
【０００４】
しかしながら、前記従来の構成では、待機電力削減のために貯湯タンクユニット側にてヒートポンプユニットの電源を遮断するようにした場合、次に電源投入されるたびに膨張弁のイニシャライズ制御を行うことになり、膨張弁動作の信頼性を満足することが難しいという課題があった。
【０００５】
本発明は、上記従来の課題を解決するもので、貯湯タンクユニットが有している電子制御装置からの指示により、膨張弁のイニシャライズ制御の必要性を判断することによって、不必要なイニシャライズ制御の回数を減らし、膨張弁動作の信頼性を向上することを目的とする。
【課題を解決するための手段】
【０００６】
前記従来の課題を解決するために、本発明のヒートポンプユニット式給湯装置は、圧縮機、膨張弁、給湯用熱交換器、蒸発器および圧縮機や膨張弁などを制御する電子制御装置を有しているヒートポンプユニットと、貯湯槽、流体循環ポンプ、給湯用熱交換器および流体循環ポンプなどを制御する電子制御装置を有した貯湯タンクユニットからなり、ヒートポンプユニットの電源は貯湯タンクユニットを介して供給されるヒートポンプ給湯装置において、ヒートポンプユニットに対して電源投入直後に膨張弁のイニシャライズ制御の必要の有無を、貯湯タンクユニットが有している電子制御装置からの指示により行うことを判断するものである。
【０００７】
これによって、不必要なイニシャライズ制御の回数を減らして膨張弁動作の信頼性を向上することができる。
【発明の効果】
【０００８】
本発明のヒートポンプユニット式給湯装置は、膨張弁のイニシャライズ制御の有無を貯湯タンクユニットが有している電子制御装置からの情報を用いて判定することにより不必
要なイニシャライズ制御の回数を減らして、膨張弁動作の信頼性を確保し、製品として動作停止などを防止する。
【発明を実施するための最良の形態】
【０００９】
第１の発明は、圧縮機、膨張弁、給湯用熱交換器、蒸発器および前記圧縮機や前記膨張弁などを制御する電子制御装置を有しているヒートポンプユニットと、貯湯槽、流体循環ポンプ、前記給湯用熱交換器および前記流体循環ポンプなどを制御する電子制御装置を有した貯湯タンクユニットからなり、前記ヒートポンプユニットの電源は前記貯湯タンクユニットを介して供給されるヒートポンプ給湯装置において、ヒートポンプユニットに対して電源投入直後に前記膨張弁のイニシャライズ制御の必要の有無を、前記貯湯タンクユニットが有している電子制御装置からの情報を用いて判断することで、膨張弁動作の信頼性を確保し、製品として動作停止などを防止することが可能となる。
【００１０】
（実施の形態１）
図１および図２は本発明の実施の形態１におけるヒートポンプ給湯装置の構成と運転制御のアルゴリズムを示したものである。
【００１１】
図１において、ヒートポンプ給湯装置は、インバータ式圧縮機１１、給湯用熱交換器１２、減圧装置１３、蒸発器１４を冷媒配管１５により環状に接続して構成されたヒートポンプユニットサイクルと、給湯用の液体を蓄える貯湯槽１６と、前記貯湯槽内の液体が前記給湯装置を介し循環できる液体配管１８と、前記液体配管に貯湯槽内の液体を流通させる流体循環ポンプ１７と、ＡＣ電源３２から電源供給を受けるタンクの電子制御装置３１と、前記タンクの電子制御装置から電源線３３を介して電源供給を受けるヒートポンプユニットの電子制御装置３０を備えている。
【００１２】
次に本実施の形態の作用を説明する。図２は、図１の構成によりタンクの電子制御装置３１からの膨張弁イニシャライズ制御実行の指示４４により、膨張弁イニシャライズ制御が必要である場合は、膨張弁イニシャライズ制御４２を実行する。膨張弁イニシャライズ制御が必要ない場合は、通常制御４３へ遷移することで、膨張弁動作の信頼性を確保し、製品として動作停止などを防止することが可能となる。したがって湯切れなどヒートポンプ給湯装置としての機能をそこなうことなく運転を継続することが可能となる。
【図面の簡単な説明】
【００１３】
【図１】本発明の実施の形態１におけるシステムの構成ブロック図
【図２】本発明の実施の形態１におけるアルゴリズムのフローチャート
【図３】従来のシステムの構成ブロック図
【図４】従来のアルゴリズムのフローチャート
【符号の説明】
【００１４】
１１  インバータ式圧縮機
１２  給湯熱交換器
１３  減圧装置（電磁膨張弁）
１４  蒸発器
１５  冷媒配管
１６  貯湯槽
１７  流体循環ポンプ
１８  液体配管
１９  ファン
２０  ファンモータ
３０  ヒートポンプユニットの電子制御装置
３１  タンクの電子制御装置
３２  ＡＣ電源
３３  電源供給線
【図１】
2010071601.tif 000003
【図２】
2010071601.tif 000004
【図３】
2010071601.tif 000005
【図４】
2010071601.tif 000006